【手続補正書】
【提出日】平成22年2月2日(2010.2.2)
【手続補正１】
【補正対象書類名】特許請求の範囲
【補正対象項目名】全文
【補正方法】変更
【補正の内容】
【特許請求の範囲】
【請求項１】
所定の幅を有する真空チェンバと、
前記真空チェンバ内に位置決めされて電子を発生させる電子発生器と、
前記真空チェンバから長手軸心に沿って延出し、当該ノズルの遠位端に出射窓を備えた細長いノズルとを備える電子ビーム照射器であって、
前記ノズルが前記真空チェンバの幅よりも小さい幅を有し、
前記電子発生器が、前記ノズルに入って前記ノズルを通り、そして前記出射窓から出る細い電子ビームを形成して案内するように、前記真空チェンバ内に形成、寸法合わせ、および位置決めされ、
前記電子発生器はハウジングと、このハウジング内に位置決めされて前記電子ビームの初期形状を形成する最初の収束レンズとを有し、
前記ハウジングは、軸方向の端部にさらに電子ビームを成形する第２レンズを形成する開口部を有する電子ビーム照射器。
【請求項２】
請求項１において、前記ノズルが、円状の外周と外径を有する電子ビーム照射器。
【請求項３】
請求項２において、前記真空チェンバが、円状の外周と、前記ノズルの外径よりも大きい直径とを有する電子ビーム照射器。
【請求項４】
請求項３において、前記電子発生器が、前記ノズルの内径と同一の直径を有するハウジングを備えている電子ビーム照射器。
【請求項５】
請求項１において、前記電子発生器によって形成される前記電子ビームが、前記ノズル内で収束する収束部と、この後に続く、前記出射窓に到達する前に前記ノズル内で発散する発散部とを有するように、前記電子発生器が形成、寸法合わせ、および位置決めされている電子ビーム照射器。
【請求項６】
請求項５において、前記電子ビームが、前記出射窓を出た後にさらに発散する電子ビーム照射器。
【請求項７】
請求項１において、前記電子発生器が、前記ノズルの前記長手軸心に沿う長手方向に向いた部位を備えた電子発生用のフィラメントを有する電子ビーム照射器。
【請求項８】
請求項２において、前記ノズルが所定の長さを有し、このノズルの長さと内径との比率が少なくとも３：１である電子ビーム照射器。
【請求項９】
請求項３において、真空チェンバの直径とノズルの外径との比率が少なくとも２：１である電子ビーム照射器。
【請求項１０】
所定の幅を有する真空チェンバ内に位置決めされた電子発生器を用いて電子を発生させ、
当該ノズルの遠位端に出射窓を備え、前記真空チェンバの幅よりも小さい幅を有する細長いノズルを、前記真空チェンバから長手軸心に沿って延出させ、
前記ノズルに入って前記ノズルを通り、そして前記出射窓から出る細い電子ビームを形成して案内するように、前記電子発生器を、前記真空チェンバ内に形成、寸法合わせ、および位置決めし、
前記電子発生器はハウジングと、このハウジング内に位置決めされて前記電子ビームの初期形状を形成する最初の収束レンズとを有し、
前記ハウジングは、軸方向の端部にさらに電子ビームを成形する第２レンズを形成する開口部を有する電子ビームを発生させる方法。
【請求項１１】
請求項１０において、さらに、前記ノズルに、円状の外周と外径とを設ける電子ビーム発生方法。
【請求項１２】
請求項１１において、さらに、前記真空チェンバに、円状の外周と、前記ノズルの外径よりも大きい直径とを設ける電子ビーム発生方法。
【請求項１３】
請求項１２において、さらに、前記電気発生器に、前記ノズルの内径と同一の直径を有するハウジングを設ける電子ビーム発生方法。
【請求項１４】
請求項１０において、さらに、前記電子発生器によって形成される前記電子ビームが、前記ノズル内で収束する収束部と、この後に続く、前記出射窓に到達する前に前記ノズル内で発散する発散部とを有するように、前記電子発生器を、形成、寸法合わせ、および位置決めする電子ビーム発生方法。
【請求項１５】
請求項１４において、さらに、前記電子ビームを、前記出射窓を出た後に発散させる電子ビーム発生方法。
【請求項１６】
請求項１０において、前記電子発生器が電子発生用のフィラメントを有し、
さらに、前記フィラメントの一部を、前記ノズルの前記長手軸心に沿う長手方向に向かせる電子ビーム発生方法。
【請求項１７】
請求項１１において、さらに、前記ノズルに所定の長さを設け、このノズルの長さと内径との比率を少なくとも３：１にする電子ビーム発生方法。
【請求項１８】
請求項１２において、さらに、真空チェンバの直径とノズルの外径との比率を少なくとも２：１にする電子ビーム発生方法。
【請求項１９】
ネック部を有するボトルの内部を照射する方法であって、
所定の幅を有する真空チェンバ内に位置決めされた電子発生器を用いて電子を発生させ、
当該ノズルの遠位端に出射窓を備え、前記真空チェンバの幅よりも小さい幅を有する細長いノズルを、前記真空チェンバから長手軸心に沿って延出させ、
前記ノズルに入って前記ノズルを通り、そして前記出射窓から出る細い電子ビームを形成して案内するように、前記電子発生器を、前記真空チェンバ内に形成、寸法合わせ、および位置決めし、
前記電子発生器はハウジングと、このハウジング内に位置決めされて前記電子ビームの初期形状を形成する最初の収束レンズとを有し、
前記ハウジングは、軸方向の端部にさらに電子ビームを成形する第２レンズを形成する開口部を有しており、
前記ノズルを、前記ボトルの前記ネック部を通して挿入し、前記電子ビームで前記ボトルの内部を照射するボトルの内部を照射する方法。
【請求項２０】
請求項１９において、さらに、前記細長いノズルに、円状の外周と外径とを設けるボトルの内部を照射する方法。
【請求項２１】
請求項２０において、さらに、前記真空チェンバに、円状の外周と、前記ノズルの外径よりも大きい直径とを設けるボトルの内部を照射する方法。
【請求項２２】
請求項２１において、さらに、前記電気発生器に、前記ノズルの内径と同一の直径を有するハウジングを設けるボトルの内部を照射する方法。
【請求項２３】
請求項１９において、さらに、前記電子発生器によって形成される前記電子ビームが、前記ノズル内で収束する収束部と、この後に続く、前記出射窓に到達する前に前記ノズル内で発散する発散部とを有するように、前記電子発生器を、形成、寸法合わせ、および位置決めするボトルの内部を照射する方法。
【請求項２４】
請求項２３において、さらに、前記電子ビームを、前記出射窓を出た後に発散させるボトルの内部を照射する方法。
【請求項２５】
請求項１９において、前記電子発生器が電子発生用のフィラメントを有し、
さらに、前記フィラメントの一部を、前記ノズルの前記長手軸心に沿う長手方向に向かせるボトルの内部を照射する方法。
【請求項２６】
請求項２０において、さらに、前記ノズルに所定の長さを設け、このノズルの長さと内径との比率を少なくとも３：１にするボトルの内部を照射する方法。
【請求項２７】
請求項２１において、さらに、真空チェンバの直径とノズルの外径との比率を少なくとも２：１にするボトルの内部を照射する方法。
【請求項２８】
請求項１９において、さらに、照射の間、前記ボトルと前記ノズルとを互いに相対的に移動させるボトルの内部を照射する方法。
【請求項２９】
請求項１９において、さらに、前記ボトルの内部における前記電子ビームの分散を、前記ボトルに隣接した少なくとも１つの電子案内部材によって支援するボトルの内部を照射する方法。
【請求項３０】
請求項１９において、前記ボトルの前記内部を周囲の気体環境に設定し、
さらに、前記ボトル内の前記気体環境を変更するボトルの内部を照射する方法。